(57)【要約】【課題】  ホットロッドによる毛髪への直接加熱と、パーマ促進器による毛髪への外部加熱の内外両方からの加熱によって、熱を毛髪の全体に行き届かせ、毛髪に対し薬液の浸透や定着を均一にさせて、施術にムラがなく、十分な施術効果（パーマ効果、トリートメント効果）を得ることができる毛髪施術方法の提供。【解決手段】  ホットロッド１とパーマ促進器５を用いた毛髪施術方法であって、受熱穴１２を外部加熱装置２の棒状ヒータ２０に嵌合させることにより、この棒状ヒータからの熱を受けてロッドを加熱させ、その加熱状態のロッドに被施術者の毛髪を毛先から巻き付けたのち上から薬液を塗布させ、その状態で前記パーマ促進器の照射ヘッド５２により被施術者の毛髪に熱線を照射させることにより、ホットロッドによる毛髪への直接加熱と、パーマ促進器による毛髪への外部加熱を併用する。【選択図】  図１
2008012228.tif 000002
【特許請求の範囲】
【請求項１】
ロッドの軸芯部に受熱穴が形成されたホットロッドと、熱線の照射ヘッドを備えたパーマ促進器を用いた毛髪施術方法であって、
前記受熱穴を外部加熱装置の棒状ヒータに嵌合させることにより、この棒状ヒータからの熱を受けてロッドを加熱させ、
その加熱状態のロッドに被施術者の毛髪を毛先から巻き付けたのち上から薬液を塗布させ、
その状態で前記パーマ促進器の照射ヘッドにより被施術者の毛髪に熱線を照射させることにより、ホットロッドによる毛髪への直接加熱と、パーマ促進器による毛髪への外部加熱を併用することを特徴とする毛髪施術方法。
【請求項２】
前記ホットロッドのロッドに多元素鉱物を粉砕して形成した多元素鉱物粉状体が含まれている請求項１記載の毛髪施術方法。
【請求項３】
前記多元素鉱物粉状体に、遠赤外線放射材料を粉砕して形成した遠赤外線放射粉状体が混合されている請求項２記載の毛髪施術方法。
【発明の詳細な説明】
【技術分野】
【０００１】
本発明は、毛髪にパーマを施したり、トリートメントを施したりする毛髪施術方法に関し、特に、外部加熱装置により加熱させて使用するホットロッドと、熱線の照射ヘッドを備えたパーマ促進器とを併用した毛髪施術方法に関する。
【背景技術】
【０００２】
理美容所等においてパーマやトリートメント等の施術を行う場合、毛髪に所要の薬液を塗布し、この薬液を毛髪に充分浸透・定着させて施術効果を向上させるための器具として、ホットロッドや遠赤外線を照射させるパーマ促進器等が用いられている。
【０００３】
前記ホットロッドとしては、ロッド本体の内面に連続通電用のシート状ヒータを内包させたもので、簡単に言えば、ロッド本体にヒータを組み込んだものが知られている（特許文献１参照）。
このように、ロッド本体にヒータを組み込んだ加熱ロッドは、連続して一定温度に加熱することができるという効果が得られるが、ロッド本体にヒータを組み込んでいるため、毛髪が傷み易くなるし、又、その上からパーマ液やトリートメント液等の液体を塗布させることから、ヒータの過熱や漏電やショートといった事故のおそれがあり、危険であることは否めない。
【０００４】
又、従来、ロッドの軸芯部に形成した受熱穴を外部加熱装置の棒状ヒータに嵌合させることにより、この棒状ヒータからの熱を受けて加熱され、その加熱状態のロッドに毛髪を巻き付けて使用するようにしたホットロッドが知られている。
このホットロッドは、ヒータを内部に組み込んだものではなく、外部加熱装置の棒状ヒータにロッドの軸芯部に形成した受熱穴を嵌合させることにより加熱させるため、上記のような毛髪の傷み、過熱や漏電やショートといった事故のおそれはないが、どうしても熱放散による温度低下が避けられず、加熱効果が十分に得られないという問題があった。
【特許文献１】特許公開２００４−０７３４６６号公報
【発明の開示】
【発明が解決しようとする課題】
【０００５】
従来、ホットロッドを用いてパーマやトリートメント等の毛髪施術を行う場合、ロッドに被施術者の毛髪を毛先から巻き付けたのち上から薬液を塗布させ、この薬液をロッドからの熱によって毛髪に浸透させるようにしていた。
【０００６】
又、パーマ促進器を用いてパーマやトリートメント等の毛髪施術を行う場合、通常のロッドに被施術者の毛髪を毛先から巻き付けたのち上から薬液を塗布させ、この薬液をパーマ促進器から照射される熱線（赤外線や遠赤外線）によって毛髪に浸透させるようにしていた。
【０００７】
このように、従来では、ホットロッド又はパーマ促進器をそれぞれ単独で使用してパーマやトリートメント等の毛髪施術を行うものであるため、熱が毛髪の全体に行き届かず、薬液の浸透や定着にムラが生じ、十分な施術効果が得られないし、その効果を持続させることができないという問題があった。
即ち、ホットロッドは毛髪を毛先から巻き付けるものであるため、毛髪の毛先部分を加熱することはできるが、毛元部分にまで熱が届きにくい。
又、パーマ促進器は、照射ヘッドを被施術者の頭部に離れた位置から対向させ、毛髪に対して外部から熱を照射させるものであるため、頭髪を全体的に加熱することはできるが、熱が毛髪束の内部、特に、毛先部分まで届きにくい。
【０００８】
本発明は、ロッド本体にヒータを組み込むことによる問題、即ち、毛髪の傷み、ヒータの過熱や漏電やショートといった事故のおそれがないホットロッドと、パーマ促進器とを併用するもので、ホットロッドによる毛髪への直接加熱と、パーマ促進器による毛髪への外部加熱の内外両方からの加熱によって、熱を毛髪の全体に行き届かせ、毛髪に対し薬液の浸透や定着を均一にさせて、施術にムラがなく、十分な施術効果（パーマ効果、トリートメント効果）を得ることができる毛髪施術方法を提供することを第１の課題としている。
【０００９】
加えて、マイナスイオン及び電磁波（微弱エネルギ−）の作用を利用することによりホットロッドの温度低下による加熱効果の低減を十分に補って毛髪に対する薬液（パーマ液やトリートメント液等）の浸透を促進させて、毛髪に施すパーマやトリートメントを確実に行うと共に、その効果を持続させることができ、かつ毛髪のケアだけでなく頭皮の血行増進もできるホットロッドを提供することを第２の課題としている。
【課題を解決するための手段】
【００１０】
上記の課題を解決するために、本発明（請求項１）の毛髪施術方法は、
ロッドの軸芯部に受熱穴が形成されたホットロッドと、熱線の照射ヘッドを備えたパーマ促進器を用いた毛髪施術方法であって、
前記受熱穴を外部加熱装置の棒状ヒータに嵌合させることにより、この棒状ヒータからの熱を受けてロッドを加熱させ、
その加熱状態のロッドに被施術者の毛髪を毛先から巻き付けたのち上から薬液を塗布させ、
その状態で前記パーマ促進器の照射ヘッドにより被施術者の毛髪に熱線を照射させることにより、ホットロッドによる毛髪への直接加熱と、パーマ促進器による毛髪への外部加熱を併用する構成とした。
【００１１】
又、本発明（請求項２）の毛髪施術方法は、
請求項１記載の毛髪施術方法において、前記ホットロッドのロッドに多元素鉱物を粉砕して形成した多元素鉱物粉状体が含まれている構成とした。
【００１２】
又、本発明（請求項３）の毛髪施術方法は、
請求項２記載の毛髪施術方法において、前記多元素鉱物粉状体に、遠赤外線放射材料を粉砕して形成した遠赤外線放射粉状体が混合されている構成とした。
【発明の効果】
【００１３】
本発明（請求項１）の毛髪施術方法は、外部加熱装置によって加熱させるホットロッドと、パーマ促進器とを併用する構成に特徴がある。
即ち、ホットロッドによる毛髪への直接加熱と、パーマ促進器による毛髪への外部加熱によって内外両方から加熱させるため、ホットロッドだけを使用することによる毛元部分の加熱不足をパーマ促進器による外部からの全体加熱によって補うことができる。
これにより、熱を毛髪の全体に行き届かせ、毛髪に対し薬液の浸透や定着を均一にさせて、施術にムラがなく、十分な施術効果（パーマ効果、トリートメント効果）を得ることができる。
【００１４】
又、ホットロッドのロッドに多元素鉱物粉状体を含ませると（請求項２）、多元素鉱物（多元素鉱物粉状体）から発生するマイナスイオンによって毛髪の水分や薬液の水分にクラスター現象（水の分子集団を小さくする力）が生じ、毛髪に対する薬液（パーマ液やトリートメント液等）の浸透を促進させることができる。
又、外部加熱によるホットロッドは、温度低下が生じるが、この温度低下による加熱効果の低減をマイナスイオン効果によって十分に補いながらパーマのかかりを良好にさせ、またトリートメント効果を向上させ、かつその効果を長期に亘って持続させることができる。
【００１５】
又、マイナスイオンによって毛髪や頭皮の血行が良好になるし、発毛促進やスキャルプケア等に効果がある。また、マイナスイオンが毛髪のキュ−ティクル（ガラス状の繊維）に作用し、常にツヤのよい状態に保つことができる。特に、ダメ−ジヘアや細くてまとまりづらい毛髪に効果的である。
【００１６】
また、この多元素鉱物（多元素鉱物粉状体）から放射される４〜１４μｍの波長の電磁波（微弱エネルギ−）には、原子の核の周囲を電気的に変化させて原子、さらにその物質を励起状態（振動）にし、その結果、水のクラスター（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。従って、毛髪のケア、頭皮の血行の促進が得られる。
【００１７】
又、多元素鉱物粉状体に、遠赤外線放射材料を粉砕して形成した遠赤外線放射粉状体を混合させておくと（請求項３）、この遠赤外線放射粉状体から遠赤外線が放射され、毛髪や頭皮を内部から温めることができる。これにより、毛髪に対する薬液の浸透を促進させることができるし、頭皮の血行を増進することができる。
【発明を実施するための最良の形態】
【００１８】
図１は本発明の毛髪施術方法の例を示す斜視図、図２は本発明の毛髪施術方法に使用するホットロッドの実施例を示す斜視図、図３はこのホットロッドを外部加熱装置に装着させた状態の部分説明図である。
【００１９】
本発明の毛髪施術方法は、図１に示すように、ホットロッド１と、パーマ促進器５とを併用して、毛髪にパーマやトリートメントを施術させるものである。
【００２０】
ホットロッド１は、円筒体によるロッド１０の中央部分がやや細く形成され、その両端部に輪ゴムをかけるための突起１１，１１が形成されている。
又、ロッド１０の軸芯部には受熱穴１２が形成され、この受熱穴１２を外部加熱装置２の棒状ヒータ２０に嵌合させることにより、この棒状ヒータ２０からの熱を受けて加熱させるように形成されている。この場合、ロッドは約６０℃〜８０℃に加熱されてから使用するのが好ましい。
【００２１】
なお、前記ロッド１０の材料は、合成樹脂材料、金属材料、木質材料、セラミック材料等を使用できるが、軽量でしかも耐久性がある合成樹脂が好ましい。
合成樹脂材料としては、ＡＢＳ樹脂、ポリカーボネート、エラストマー（ＰＢＴ＋ラバー）のほか、ポリエチレン、ポリプロピレン、ポリアミド、ポリフェニレンエーテル、フッ素樹脂、フェノール樹脂、エポキシ樹脂等があるが、熱安定性、成形性、対薬品性、耐久性に優れたものを用いるのが好ましい。
なお、外部加熱装置２の棒状ヒータ２０からの熱を効率良く伝達させるために、ロッド１０の受熱穴１２の内周にアルミ筒や銅筒を取り付けることも可能である。
【００２２】
そして、前記ロッド１０に、多元素鉱物を粉砕して形成した多元素鉱物粉状体と、遠赤外線放射材料を粉砕して形成した遠赤外線放射粉状体が含有されている。
【００２３】
多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００２４】
そして、ロッド原料中に多元素鉱物粉状体を混合させるには、例えば、多元素鉱物をボールミル等で約０．５〜３ミクロン、好ましくは０．５〜１ミクロンに粉砕して粉状体に形成し、これをロッド原料中に混合し、ロッドに成形するようにしている。
【００２５】
この場合、多元素鉱物粉状体は２種類以上を適宜に配合して使用することが好ましいが、１種類であってもよい。
又、多元素鉱物粉状体を水と混合し、加熱又は加圧したのち得た上澄み液を混合させてもよいし、真空凍結乾燥や噴霧乾燥により粉末にしたものを混合させてもよい。
【００２６】
なお、多元素鉱物の例である真珠岩の成分を以下の表１に示す。
【００２７】
【表１】
2008012228.tif 000003
尚、この表１において、ｉｇ・ｌｏｓｓは、カオリンの化粧品基準、強熱減量（５００℃、恒温）に準じる。
【００２８】
遠赤外線放射材料としては、アルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等があり、これらを粉砕して粉状体にしたものを、単独或いは組み合わせて使用することができる。
【００２９】
前記ホットロッド１は、これを外部加熱装置２により加熱させ、その加熱状態のロッド１０に毛髪を毛先から巻き付けて使用するもので、ロッド１０による加熱効果と、多元素鉱物から発生するマイナスイオン及び電磁波（微弱エネルギ−）による効果と、遠赤外線放射粉状体から放射される遠赤外線による効果によって、ロッド１０の温度低下を補いながらパーマのかかりを良好にさせ、またトリートメント効果を向上させ、かつその効果を長期に亘って持続させることができるし、毛髪のケア及び頭皮の血行増進を促すことができる。
【００３０】
前記パーマ促進器５は、高さ調整可能な脚体５０の上部に本体部５１が設けられ、この本体部５１に連結して照射ヘッド５２が上下に回動可能に設けられたもので、この実施例では、照射ヘッド５２から遠赤外線を放射させるように形成されている。
なお、照射ヘッド５２から赤外線を放射させるようにしてもよいし、照射ヘッド５２の中央に噴霧孔を形成し、本体部の内部に設けた霧発生器からの霧をヒータにより加熱して前記霧噴射孔から噴霧させるようにしてもよい。
【００３１】
そして、例えば、毛髪にパーマをかける場合の施術方法は、前記ホットロッド１の受熱穴１２を外部加熱装置２の棒状ヒータ２０に嵌合させることにより、この棒状ヒータからの熱を受けてロッドを約６０℃〜８０℃に加熱させる。
【００３２】
次に、その加熱状態のロッド１０に被施術者の毛髪を毛先から巻き付けたのち上から薬液を塗布させる。
その状態でパーマ促進器５の照射ヘッド５２を被施術者の頭部に対向させ、この照射ヘッド５２から毛髪に遠赤外線を照射させることにより、ホットロッド１による毛髪への直接加熱と、パーマ促進器５による毛髪への外部加熱を併用して、毛髪にパーマをかけるものである。
【００３３】
なお、毛髪をトリートメントする場合の施術方法は、薬液にトリートメント液を利用するもので、ホットロッド１と、パーマ促進器５とを併用することはパーマの施術と同様である。
【００３４】
なお、本発明において、ホットロッド１とパーマ促進器５を併用する以外の方法は、従来の一般的施術方法を適用できる。
【００３５】
又、本発明による施術方法を用いると、上述したように、熱を毛髪の全体に行き届かせ、毛髪に対し薬液の浸透や定着を均一にさせて、施術にムラがなく、十分な施術効果（パーマ効果、トリートメント効果）を得ることができるもので、このことから、使用する薬液を化粧品登録の薬液を使用することができる。
【００３６】
従来、パーマの施術に際しては、薬効成分であるチオグリコール酸の濃度が２％以上である医薬部外品登録のパーマ液を使用するのが一般的である。
これに対し、本発明では、薬液の浸透、定着効果に優れているため、薬効成分であるチオグリコール酸の濃度が２％以下である化粧品登録のカール液を使用することができる。
又、トリートメント液についても、化粧品登録のトリートメント液を使用できる。
【００３７】
このように、本発明の毛髪施術方法によれば、被施術者の毛髪へのダメージが少なく、又、施術者の手荒れが少なく、価格も廉価な化粧品登録の薬液を使用することができるという効果が得られる。
【図面の簡単な説明】
【００３８】
【図１】本発明の毛髪施術方法の例を示す斜視図である。
【図２】本発明の毛髪施術方法に使用するホットロッドの実施例を示す斜視図である。
【図３】このホットロッドを外部加熱装置に装着させた状態の部分説明図である。
【符号の説明】
【００３９】
１  ホットロッド
１０  ロッド
１１  突起
１２  受熱穴
２  外部加熱装置
２０  棒状ヒータ
５  パーマ促進器
５０  脚体
５１  本体部
５２  照射ヘッド
【図１】
2008012228.tif 000004
【図２】
2008012228.tif 000005
【図３】
2008012228.tif 000006